(57)【要約】【課題】撮影画角内において投映するキャラクタの位置及び大きさを調整する。【解決手段】撮影部８と、前記撮影部の近傍に配置され、前記撮影部が撮影する被写体に画像を投映する投映部１４と、前記投映部により投映する前記画像の位置及び大きさのうち少なくとも一方を調整する調整部４と、を備える。【選択図】図１
2012039204.tif 000002
【特許請求の範囲】
【請求項１】
撮影部と、
前記撮影部の近傍に配置され、前記撮影部が撮影する被写体に画像を投映する投映部と、
前記投映部により投映する前記画像の位置及び大きさのうち少なくとも一方を調整する調整部と、を備えることを特徴とする電子カメラ。
【請求項２】
前記撮影部から出力される画像データに基づいて、前記被写体の主要部の位置及び大きさを認識する第１の認識部を備え、
前記調整部は、前記第１の認識部による認識結果に基づいて、前記投映部により投映する前記画像の前記被写体に対する位置及び大きさの内の少なくとも一方を調整することを特徴とする請求項1記載の電子カメラ。
【請求項３】
前記撮影部から出力される画像データに基づいて、前記被写体の画像データの空間周波数が所定の値よりも小さい領域を認識する第２の認識部を備え、
前記調整部は、前記第２の認識部による認識結果に基づいて、前記投映部により投映する前記画像の前記被写体に対する位置及び大きさの内の少なくとも一方を調整することを特徴とする請求項1記載の電子カメラ。
【請求項４】
前記撮影部から出力される画像データに基づいて、前記被写体の画像データから人の顔を認識する第３の認識部を備え、
前記調整部は、前記第３の認識部による認識結果に基づいて、前記投映部により投映する前記画像の前記被写体に対する位置及び大きさの内の少なくとも一方を調整することを特徴とする請求項1記載の電子カメラ。
【請求項５】
前記画像の位置及び大きさを指定する操作部を備え、
前記調整部は、前記操作部による操作に基づき、前記投映部により投映する前記画像の前記被写体に対する位置及び大きさの内の少なくとも一方を調整することを特徴とする請求項1〜４の何れか一項に記載の電子カメラ。
【請求項６】
前記制御部は、前記撮影部の合焦位置情報を受信して、前記投映部により投映する前記画像の合焦位置を調整する合焦位置調整機構を備えることを特徴とする請求項1〜５の何れか一項に記載の電子カメラ。
【発明の詳細な説明】
【技術分野】
【０００１】
本発明は、電子カメラに関するものである。
【背景技術】
【０００２】
従来、プロジェクタ投映と撮影を同時に行うことができる携帯型情報機器が存在する（例えば、特許文献１参照）。この携帯型情報機器によれば、撮影画角内に所定の画像パターンを投映しながら撮影を行うことができる。
【先行技術文献】
【特許文献】
【０００３】
【特許文献１】特開２００６−９３８０１号公報
【発明の概要】
【発明が解決しようとする課題】
【０００４】
しかしながら、上述の携帯型情報機器においては、所定の画像パターンを所望の位置に投映する場合には、本体を動かして所定の画像パターンの投映位置を調整しなければならないため、撮影画角も同時に変更され、所定の画像パターンを被写体に対して好ましい位置及び大きさで投映することができない場合があった。
【０００５】
本発明の目的は、撮影画角内において投映するキャラクタの位置及び大きさを調整することができる電子カメラを提供することである。
【課題を解決するための手段】
【０００６】
本発明の電子カメラは、撮影部と、前記撮影部の近傍に配置され、前記撮影部が撮影する被写体に画像を投映する投映部と、前記投映部により投映する前記画像の位置及び大きさのうち少なくとも一方を調整する調整部と、を備えることを特徴とする。
【発明の効果】
【０００７】
本発明によれば、撮影画角内において投映するキャラクタの位置及び大きさを調整することができる。
【図面の簡単な説明】
【０００８】
【図１】第１の実施の形態に係るカメラのシステム構成を示すブロック図である。
【図２】第１の実施の形態に係る手動調整投映モードによる投映処理を示すフローチャートである。
【図３】第１の実施の形態に係るキャラクタの投映状態を示す図である。
【図４】第２の実施の形態に係る自動調整投映モードによる投映処理を示すフローチャートである。
【図５】第２の実施の形態に係るキャラクタの投映状態を示す図である。
【図６】第２の実施の形態に係るキャラクタの他の投映状態を示す図である。
【図７】第２の実施の形態に係るキャラクタの他の投映状態を示す図である。
【発明を実施するための形態】
【０００９】
以下、図面を参照して、本発明の第１の実施の形態に係る電子カメラ（以下、カメラという。）について説明する。図１は、第１の実施の形態に係るカメラのシステム構成を示すブロック図である。図１に示すように、カメラ２は、カメラ２の各部を統括的に制御する制御部４を備えている。制御部４には、被写体を撮影する撮影部８、撮影部８から出力された撮影信号から生成された画像データを記憶するメモリ１０、制御部４が実行する撮影処理、投映処理、投映するキャラクタの大きさや位置の変更処理等のプログラムを記憶するプログラムメモリ１１、撮影画像及び投映画像の画像データや投映する複数のキャラクタのデータ等を記憶するメモリカード１２、撮影部８による撮影画角内にキャラクタを投映する投映部１４、カメラ２の背面部に配置され撮影部８により撮影された画像、スルー画及びカメラ２のモードを設定する画面等を表示するＬＣＤ表示部１６及び操作部１８が接続されている。
【００１０】
ここで、撮影部８は、撮影レンズ２０、イメージセンサ２２、レンズ駆動回路２４及び撮影制御回路２６を備えている。イメージセンサ２２は、ＣＣＤやＣＭＯＳ等の撮像素子により構成される。撮影レンズ２０は、イメージセンサ２２の撮像面上に被写体像を結像させる。撮影制御回路２６は、制御部４からの指令によりイメージセンサ２２およびレンズ駆動回路２４を駆動制御する。即ち、撮影制御回路２６は、制御部４からの撮影開始指示に応じてイメージセンサ２２に撮影を開始させ、イメージセンサ２２から読出した撮影信号を制御部４へ送出する。レンズ駆動回路２４は、撮影制御回路２６から出力されるフォーカス調節信号に基づいて、撮影レンズ２０を構成するフォーカスレンズ（不図示）を光軸方向に移動させる。また、レンズ駆動回路２４は、撮影制御回路２６から出力されるズーム調節信号に基づいて、撮影レンズ２０を構成するズームレンズ（不図示）を光軸方向（テレ側もしくはワイド側）に移動させる。
【００１１】
投映部１４は、投映レンズ３０、液晶パネル３２、ＬＥＤ光源３４及び投映制御回路３６を備えている。投映部１４は、投映レンズ３０を介して液晶パネル３２に表示された画像の投映を行う。投映制御回路３６は、制御部４から出力される投映指令に応じてＬＥＤ光源３４及び液晶パネル３２の制御を行う。
【００１２】
操作部１８は、電源スイッチ、レリーズボタン、ズームボタン、カメラ２のモードを設定するＰＪボタン、十字ボタン及びＯＫボタン等を備えている。
【００１３】
ここで、撮影部８及び投映部１４は、撮影部８の撮影方向と投映部１４の投映方向が同じ方向を向いて配置される。また、撮影部８及び投映部１４は互いに近接して配置される。これにより、撮影部８による撮影画角内に対して、投映部１４からの画像を重ねて投映することが可能となる。
【００１４】
次に、図２に示すフローチャートを参照して第１の実施の形態に係るカメラ２の手動調整投映モードによる投映処理について説明する。先ず操作者が操作部１８の電源スイッチをオンにし、ＰＪボタンを操作することによりカメラ２を投映モードに移行させる。投映モードに移行すると、制御部４は、操作者に「通常の画像の投映」または「キャラクタの投映」を選択させる画面をＬＣＤ表示部１６に表示する。操作者が十字ボタン及びＯＫボタンを操作し「キャラクタの投映」を選択すると、制御部４は操作者に「手動調整」または「自動調整」を選択させる画面をＬＣＤ表示部１６に表示する。操作者が十字ボタン及びＯＫボタンを操作し「手動調整」を選択した場合には、カメラ２は手動調整投映モードに移行する（ステップＳ１０）。
【００１５】
手動調整投映モードに移行すると、制御部４は、操作者に投映するキャラクタを選択させるため、複数のキャラクタのサムネイル画像をＬＣＤ表示部１６に表示する。例えば、サムネイル画像として、予め記憶されている所定のコメント（キャラクタＡ）、操作者により入力されたコメント（キャラクタＢ）、年月日（キャラクタＣ）、所定の記号（キャラクタＤ）、所定の絵柄（キャラクタＥ）等が表示される。
【００１６】
操作者が十字ボタン及びＯＫボタンの操作により、選択対象を示すカーソルをキャラクタＡの画像に移動させ、キャラクタＡの画像を選択した場合には（ステップＳ１２）、制御部４は、メモリカード１２の中からキャラクタＡの画像データを読み出して、投映制御回路３６によりキャラクタＡの画像データに基づく画像を液晶パネル３２に表示し、投映部１４により撮影部８による撮影画角内にキャラクタＡの画像（予め記憶されている所定のコメント）を投映する（ステップＳ１４）。
【００１７】
制御部４は、投映部１４によりキャラクタの投映が開始されると、撮影部８により所定のフレームレートで被写体を撮影し、撮影部８から出力された撮影信号に基づいてスルー画をＬＣＤ表示部１６に表示する（ステップＳ１６）。ここで、図３はコップ４０に対してキャラクタＡ（予め記憶されている所定のコメント）４２を投映しつつ撮影部８により行った撮影に基づくスルー画を示している。この状態において、操作者がＬＣＤ表示部１６に表示されているスルー画を視認しながら、投映されているキャラクタＡ４２の位置及び大きさを所望の位置及び大きさになるように調整する（ステップＳ１８）。
【００１８】
即ち、操作者がＰＪボタンを押下しつつ十字ボタンを操作した場合には、投映制御回路３６は、制御部４からの十字ボタンの各方向の操作に基づく指令により、液晶パネル３２に表示されているキャラクタＡの位置を変更する位置変更処理を行う。また、操作者がＰＪボタンを押下しつつズームボタンを操作した場合には、投映制御回路３６は、制御部４からのズームボタンの操作に基づく指令により、液晶パネル３２に表示されているキャラクタＡに対して拡大または縮小処理を行う。これにより、撮影画角内において投映されているキャラクタＡ４２の位置及び大きさが所望の位置及び大きさに調整される。
【００１９】
制御部４は、操作者がレリーズボタンを押下すると（ステップＳ２０、Ｙｅｓ）、撮影部８により撮影を行い（ステップＳ２２）、撮影された画像に基づく画像データをメモリカード１２に記憶する。即ち、メモリカード１２には、コップ４０に対して所望の位置及び大きさで投映されたキャラクタＡ４２が写し込まれた画像の画像データが記憶される。
【００２０】
本発明の第１の実施の形態に係るカメラによれば、操作者による操作部の操作により、撮影画角内において投映するキャラクタの位置及び大きさを調整することができる。また、撮影後に画像データに対して所望のキャラクタを合成する作業をせずに、演出効果の高い所望のキャラクタが写し込まれた画像を容易に取得することができる。
【００２１】
なお、上述の第１の実施の形態においては、撮影画角内において投映されているキャラクタＡ４２を所望の位置及び大きさに調整するために、制御部４が位置変更処理及び拡大・縮小処理を行っているが、投映部１４が光学ズーム機能を有する場合には、光学ズーム機能を用いて投映されるキャラクタの大きさを変更するようにしてもよい。
【００２２】
次に、本発明の第２の実施の形態に係るカメラについて説明する。なお、第２の実施の形態に係るカメラの構成は、図１に示すカメラ２と同様であるため、第２の実施の形態に係るカメラの説明においては、第１の実施の形態に係るカメラの構成に付したのと同一の符号を用いる。
【００２３】
図４は第２の実施の形態に係るカメラ２の自動調整投映モードの処理を示すフローチャートである。第１の実施と同様の操作により「キャラクタの投映」が選択されると、制御部４は、操作者に「手動調整」または「自動調整」を選択させる画面をＬＣＤ表示部１６に表示する。操作者が十字ボタン及びＯＫボタンを操作し「自動調整」を選択した場合には、カメラ２は自動調整投映モードに移行する（ステップＳ３０）。
【００２４】
自動調整投映モードに移行すると、制御部４は、操作者に投映するキャラクタを選択させるため、複数のキャラクタのサムネイル画像をＬＣＤ表示部１６に表示する。操作者が十字ボタン及びＯＫボタンの操作により、選択対象を示すカーソルをキャラクタＥの画像に移動させ、キャラクタＥの画像を選択すると（ステップＳ３２）、制御部４はメモリカード１２からキャラクタＥの画像データを読み出してメモリ１０に記憶させる。なお、メモリカード１２から読み出されたキャラクタの画像データには、主要被写体に対してどの位置に投映を行なうかの情報が付加されており、キャラクタＥには、主要被写体の周囲に投映を行なう旨の情報が付加されているものとする。また、制御部４は、撮影部８により所定のフレームレートで被写体を撮影し、撮影部８から出力された撮影信号に基づいてスルー画をＬＣＤ表示部１６に表示する（ステップＳ３４）。ここで、撮影部８から出力されたスルー画像の画像データは一時的にメモリ１０に記憶される。
【００２５】
制御部４は、メモリ１０に記憶されている画像データに含まれる被写体の中で、例えば最至近の被写体を主要被写体として認識する等の方法により、撮影画角内における主要被写体の位置及び大きさを認識する（ステップＳ３６）。また、制御部４は、認識された主要被写体の位置、大きさ及びキャラクタＥ（所定の絵柄）の画像データに基づいて、キャラクタＥの撮影画角内おける投映位置及び大きさを決定し（ステップＳ３８）、それに基づいて液晶パネル３２に表示するキャラクタＥの位置及び大きさを決定する。投映制御回路３６は制御部４からの指令によりキャラクタＥを、決定した位置及び大きさで液晶パネル３２に表示し、撮影部８による撮影画角内において、決定した位置及び大きさでキャラクタＥを投映する（ステップＳ４０）。ここで、図５は主要被写体（例えば、置物）５０の周りを囲むようにキャラクタＥ５２を投映しつつ撮影部８により行った場合に、ＬＣＤ表示部１６に表示されるスルー画を示している。
【００２６】
この状態において、キャラクタＥ５２の投映位置及び大きさを変更する必要がある場合には、第１の実施の形態と同様に、操作者によるＰＪボタン及びズームボタンまたはＰＪボタン及び十字ボタンの操作により、撮影画角内において投映されているキャラクタＥ５２の位置及び大きさが所望の位置及び大きさになるように調整する（ステップＳ４２）。操作者がレリーズボタンを押下すると（ステップＳ４４、Ｙｅｓ）、制御部４は、撮影部８により撮影を行い（ステップＳ４６）、撮影された画像の画像データをメモリカード１２に記憶する。
【００２７】
本発明の第２の実施の形態に係る電子カメラによれば、操作者による操作を必要とせずに、撮影画角内において投映するキャラクタの位置及び大きさを調整することができる。また、撮影後に画像データに対して所望のキャラクタを合成する作業をせずに、演出効果の高い所望のキャラクタを写し込んだ画像を容易に取得することができる。
【００２８】
なお、上述の第２の実施の形態においては、撮影部８による撮影画角内の主要被写体の位置及び大きさに基づいて投映するキャラクタの位置及び大きさを調整しているが、撮影画角内の主要被写体の位置及び大きさに基づいて投映するキャラクタの位置または大きさを調整してもよい。
【００２９】
また、上述の第２の実施の形態においては、投映するキャラクタの位置及び大きさの調整を撮影画角内における主要被写体５０の位置及び大きさに基づいて行っているが、主要被写体５０は追尾被写体であってもよい。この場合には、撮影画角内において主要被写体５０が移動すると、移動した主要被写体５０の位置及び大きさを認識し、投映部１４により移動した主要被写体５０の周りを囲む位置及び大きさの絵柄５２を投映する。
【００３０】
また、上述の第２の実施の形態においては、投映するキャラクタの位置及び大きさの調整を撮影画角内における主要被写体の位置及び大きさに基づいて行っているが、投映するキャラクタの位置及び大きさの調整を撮影画角内における滑らかな領域の位置及び大きさに基づいて行ってもよい。即ち、制御部４はメモリ１０に記憶された画像データから、空間周波数が所定の値よりも小さい領域を認識し、認識された領域の位置及び大きさに基づいてキャラクタの撮影画角内おける投映位置及び大きさを決定し、それに基づいて液晶パネル３２に表示するキャラクタの位置及び大きさを決定する。そして、制御部４は、メモリカード１２からキャラクタの画像データを読み出して、キャラクタを決定した位置及び大きさで液晶パネル３２に表示する。これにより撮影部８による撮影画角内において空間周波数が所定の値よりも小さい領域にキャラクタを投映することができる。ここで、複数のキャラクタの中からキャラクタＢ（操作者により入力されたコメント、例えば、Ｈｅｌｌｏ）が選択されている場合には、図６のＬＣＤ表示部１６に表示されるスルー画に示すように、主要被写体５０の上部に存在する空間周波数が所定の値よりも小さい領域６０に対してキャラクタＢ６２が投映される。
【００３１】
また、上述の第２の実施の形態において、撮影画角内の人の顔を認識し、顔の所定領域にキャラクタの投映を行なうように投映位置及び大きさの調整を行なってもよい。即ち、制御部４はメモリ１０に記憶された画像データから人の顔及び眼を認識し、認識された人の顔及び眼の位置及び大きさに基づいてキャラクタの投映位置及び大きさを決定し、それに基づいて液晶パネル３２に表示するキャラクタの位置及び大きさを決定する。そして、制御部４は、キャラクタを決定した位置及び大きさで液晶パネル３２に表示し、撮影画角内において決定した位置及び大きさでキャラクタを投映する。ここで、複数のキャラクタの中からキャラクタＦ（所定の絵柄）が選択されている場合であって、キャラクタＦは人の顔の頬に位置するように予め指定されている場合には、図７のＬＣＤ表示部１６に表示されているスルー画に示すように、人７０の顔の頬に対してキャラクタＦ７２を投映する。
【００３２】
また、上述の第２の実施の形態において、投映するキャラクタとして所定のメイクの画像を選択し、人７０の顔に対して投映するようにしてもよい。この場合には、各メイクの画像、例えばアイシャドウ、頬紅、口紅等の画像の投映位置は予め決まっているため、制御部４はメモリ１０に記憶された画像データから、人の顔の各領域（眼の周り、頬、口元等）の位置及び大きさを認識し、認識した位置及び大きさで各メイクの画像を投映する。
【００３３】
なお、上述の実施の形態においては、撮影部８及び投映部１４は互いに近接して配置されているが、撮影部８の撮影方向と投映部１４の投映方向が同じ方向を向いているのであれば、撮影部８及び投映部１４を離して配置してもよい。
【００３４】
また、上述の実施の形態においては、撮影部８の撮影方向と投映部１４の投映方向が同じ方向を向いているが、撮影部８の撮影方向と投映部１４の投映方向を可変とし、かつ撮影部８の撮影方向と投映部１４の投映方向が同じ方向に向けるようにしてもよい。
【００３５】
また、上述の実施の形態において、投映部１４は投映部１４の合焦位置を調整する機構を備え、投映部１４により画像を投映する際に、制御部４は撮影部８の合焦位置情報を受信して、受信した合焦位置情報に基づいて、投映部１４の合焦位置を撮影部８の合焦位置と同じにするようにしてもよい。また、操作者が手動により投映部１４の合焦位置を調整することができる機構を備えるようにしてもよい。
【符号の説明】
【００３６】
２…カメラ、４…制御部、８…撮影部、１０…メモリ、１１…プログラムメモリ、１４…投映部、１６…ＬＣＤ表示部、１８…操作部、２６…撮影制御回路、３６…投映制御回路。
【図１】
2012039204.tif 000003
【図２】
2012039204.tif 000004
【図３】
2012039204.tif 000005
【図４】
2012039204.tif 000006
【図５】
2012039204.tif 000007
【図６】
2012039204.tif 000008
【図７】
2012039204.tif 000009